(57)【要約】【課題】掃除機本体の内部で発生された騒音を第１の空間部及び第２の空間部で低減することができ、静音性の高い電気掃除機の提供。【解決手段】吸引風を発生させる電動送風機から排出された排気風を外部へと排出する排気口を有する掃除機本体と、掃除機本体に取り付けられた集塵装置と、掃除機本体の内部に設けられ、電動送風機から排出された排気風を排気口へと導く排気風路と、掃除機本体の内部に設けられた第１の空間部と、第１の空間部の内部に第１の空間部とは区画されて設けられた第２の空間部と、を備え、第１の空間部は、排気風路と連通しないように形成されており、第２の空間部は、排気風路と連通するように形成されており、電動送風機から排出され、排気風路を介して排気口から掃除機本体の外部に排出される排気風の一部は、第２の空間部を介して排気口から掃除機本体の外部に排出される、電気掃除機。【選択図】図８
2014064647.tif 000002
【特許請求の範囲】
【請求項１】
吸引風を発生させる電動送風機を内蔵するとともに、前記電動送風機から排出された排気風を外部へと排出する排気口を有する掃除機本体と、前記掃除機本体に取り付けられ、前記電動送風機で発生された吸引風によって吸引された塵埃を捕集する集塵装置と、前記掃除機本体の内部に設けられており、前記電動送風機から排出された排気風を前記排気口へと導く排気風路と、前記掃除機本体の内部に設けられた第１の空間部と、前記第１の空間部の内部に前記第１の空間部とは区画されて設けられた第２の空間部と、を備え、前記第１の空間部は、前記排気風路と連通しないように形成されており、前記第２の空間部は、前記排気風路と連通するように形成されており、前記電動送風機から排出され、前記排気風路を介して前記排気口から前記掃除機本体の外部に排出される排気風の一部は、前記第２の空間部を介して前記排気口から前記掃除機本体の外部に排出される、電気掃除機。
【請求項２】
前記第２の空間部は、前記第２の空間部の前記排気風路側の断面積が前記第２の空間部の前記排気風路とは反対側の断面積よりも大きくなるように形成されている、請求項１に記載の電気掃除機。
【請求項３】
前記掃除機本体の内部には、前記電動送風機で発生された吸引風によって吸引された塵埃を前記集塵装置へと導く吸引風路が設けられており、前記吸引風路は、前記第１の空間部に設けられている、請求項１または２に記載の電気掃除機。
【請求項４】
前記掃除機本体には、前記集塵装置が取り付けられる集塵装置取付部が設けられており、前記第１の空間部は、前記掃除機本体の内部で、かつ、前記集塵装置取付部の下部に形成されている、請求項１〜３のうちの何れか１項に記載の電気掃除機。
【請求項５】
前記排気風路及び前記第２の空間部には吸音材は配置されている、請求項１〜４のうちの何れか１項に記載の電気掃除機。
【請求項６】
前記第２の空間部は、前記第２の空間部の内部において、前記第２の空間部の前記排気風路と対向する側の面と前記排気風路との距離が異なるように階段形状に形成されている、請求項１〜５のうちの何れか１項に記載の電気掃除機。
【発明の詳細な説明】
【技術分野】
【０００１】
本発明は、電気掃除機に関する。
【背景技術】
【０００２】
従来、電気掃除機においては、電気掃除機の騒音を低減させるべく、塵埃貯留部を収容する第１の空間と負圧発生源を収容する第２の空間との間に第３の空間を形成し、負圧発生源からの排気の一部を第３の空間を経由して筐体の外部に排出させる構成が提案されている（例えば、特許文献１参照）。
【０００３】
すなわち、図１３に示すように、従来の電気掃除機において、筐体２００は、筐体２００内の前方部に形成され、塵埃を捕集する塵埃貯留部２０１を収容する第１の空間と、筐体２００内の後方部に形成され、負圧を発生させる負圧発生源２０２を収容する第２の空間と、を有している。また、第１の空間と第２の空間との間には、第１の境界壁２０３によって第１の空間と区画され、第２の境界壁２０４によって第２の空間と区画された、第３の空間が形成されている。また、第２の境界壁２０４には、第２の空間と第３の空間とを連通する連通口２０５が形成されている。
【０００４】
そして、従来の電気掃除機において、負圧発生源２０２から排気された空気は、負圧発生源２０２の下方に設けた通気路２０６を介して筐体２００の後部に設けられた排気孔２０７から筐体２００の外部に排気される第１の排気通路、第２の空間からコードリール２０８が収納されたコードリール収納空間（図示せず）へと導かれ、その後、コードリール収納空間（図示せず）から第２の空間へと再度流入させ、排気孔２０７から筐体２００の外部に排気される第２の排気通路、及び、連通口２０５から第３の空間へと導かれ、第３の空間に形成された隙間Ｇから筐体２００の外部に排気される第３の排気通路、から筐体２００の外部へと排気されるように構成されており、負圧発生源２０２から排気された空気を３つの排気通路から筐体２００の外部に排気することで、排気孔２０７から排出される排気の流量を低減させ、排気孔２０７で発生される風切り音などの騒音を低減するように構成されている。
【先行技術文献】
【特許文献】
【０００５】
【特許文献１】特開２００９−２３３０１３号公報
【発明の概要】
【発明が解決しようとする課題】
【０００６】
しかしながら、上記従来の電気掃除機においては、電気掃除機で発生された騒音を低減させ、電気掃除機の静音性を向上させるという観点からは未だ改善の余地があった。
【０００７】
すなわち、従来の電気掃除機においては、負圧発生源から排出された空気の一部が連通口から第３の空間へと流入し、第３の空間に形成された隙間から筐体の外部に排出される構成であり、第３の空間は筐体の外部と直接連通しているとともに、第３の空間と筐体の外部とは筐体によって区画されている。そのため、負圧発生源で発生され、負圧発生源から排出された空気の一部とともに第３の空間に流入した風切り音や第３の空間で発生した風切り音等の騒音が第３の空間に形成された隙間から筐体の外部へと伝わってしまったり、第３の空間から直接筐体へと伝わり、筐体の外部へと伝わってしまったりする場合があり、筐体の内部で発生した騒音を筐体の内部で低減することができない場合があった。
【０００８】
本発明は、上記従来技術の有する課題に鑑みてなされたものであり、電気掃除機で発生された騒音を低減でき、静音性の高い電気掃除機を提供することを目的とする。
【課題を解決するための手段】
【０００９】
上記従来技術の有する課題を解決するために、本発明は、吸引風を発生させる電動送風機を内蔵するとともに、電動送風機から排出された排気風を外部へと排出する排気口を有する掃除機本体と、掃除機本体に取り付けられ、電動送風機で発生された吸引風によって吸引された塵埃を捕集する集塵装置と、掃除機本体の内部に設けられており、電動送風機から排出された排気風を排気口へと導く排気風路と、掃除機本体の内部に設けられた第１の空間部と、第１の空間部の内部に第１の空間部とは区画されて設けられた第２の空間部と、を備え、第１の空間部は、排気風路と連通しないように形成されており、第２の空間部は、排気風路と連通するように形成されており、電動送風機から排出され、排気風路を介して排気口から掃除機本体の外部に排出される排気風の一部は、第２の空間部を介して排気口から掃除機本体の外部に排出される、電気掃除機を提供する。
【００１０】
これにより、電動送風機から排出され、排気風路を介して排気口から掃除機本体の外部に排出される排気風の一部は、第２の空間部を介して排気口から掃除機本体の外部に排出されるため、電動送風機で発生され、電動送風機から排出された排気風の一部とともに第２の空間部に流入した風切り音等の騒音を第２の空間部で低減することができ、電気掃除機の静音性を向上させることができる。また、第２の空間部は、掃除機本体の外部と直接連通せず、排気風路とのみ連通しているため、電動送風機で発生され、電動送風機から排出された排気風の一部とともに第２の空間部に流入した風切り音や第２の空間部で発生した風切り音等の騒音が掃除機本体の外部に伝わってしまうことを十分に防止できる。そのため、掃除機本体の内部で発生した騒音を第２の空間部で確実に低減することができ、電気掃除機の静音性を向上させることができる。さらに、第１の空間部は排気風路と連通しないように形成されているとともに、第２の空間部は第１の空間部の内部に形成されているため、第１の空間部と第２の空間部とによって二重壁構造を形成することができ、第２の空間部の内部から第２の空間部の外部へと伝わってしまった騒音を第１の空間部で低減することができる。そのため、第１の空間部及び第２の空間部によって、掃除機本体の内部で発生された騒音が掃除機本体の外部へと伝わってしまうことを十分に防止でき、電気掃除機の静音性を向上させることができる。
【発明の効果】
【００１１】
本発明の電気掃除機によれば、掃除機本体の内部で発生された騒音を第１の空間部及び第２の空間部で低減することができ、電気掃除機の静音性を向上させることができるようになる。
【図面の簡単な説明】
【００１２】
【図１】本発明の実施の形態１における電気掃除機の全体斜視図
【図２】本発明の実施の形態１における集塵装置の前方斜視図
【図３】本発明の実施の形態１における集塵装置の後方斜視図
【図４】本発明の実施の形態１における集塵装置の断面図
【図５】本発明の実施の形態１における掃除機本体の全体斜視図
【図６】本発明の実施の形態１における集塵装置を取り外した状態での掃除機本体の全体斜視図
【図７】本発明の実施の形態１における下枠体及び上枠体を取り外した状態での掃除機本体の全体斜視図
【図８】本発明の実施の形態１における被清掃面に垂直な面での掃除機本体の断面図
【図９】本発明の実施の形態１における被清掃面に平行な面での掃除機本体の断面図
【図１０】本発明の実施の形態２における被清掃面に垂直な面での掃除機本体の断面図
【図１１】本発明の実施の形態２における被清掃面に平行な面での掃除機本体の断面図
【図１２】本発明の実施の形態２における第２の空間部の変形例を示す掃除機本体の断面図
【図１３】従来の電気掃除機における筐体の断面図
【発明を実施するための形態】
【００１３】
第１の発明は、吸引風を発生させる電動送風機を内蔵するとともに、電動送風機から排出された排気風を外部へと排出する排気口を有する掃除機本体と、掃除機本体に取り付けられ、電動送風機で発生された吸引風によって吸引された塵埃を捕集する集塵装置と、掃除機本体の内部に設けられており、電動送風機から排出された排気風を排気口へと導く排気風路と、掃除機本体の内部に設けられた第１の空間部と、第１の空間部の内部に第１の空間部とは区画されて設けられた第２の空間部と、を備え、第１の空間部は、排気風路と連通しないように形成されており、第２の空間部は、排気風路と連通するように形成されており、電動送風機から排出され、排気風路を介して排気口から掃除機本体の外部に排出される排気風の一部は、第２の空間部を介して排気口から掃除機本体の外部に排出される、電気掃除機としたものである。
【００１４】
これにより、電動送風機から排出され、排気風路を介して排気口から掃除機本体の外部に排出される排気風の一部は、第２の空間部を介して排気口から掃除機本体の外部に排出されるため、電動送風機で発生され、電動送風機から排出された排気風の一部とともに第２の空間部に流入した風切り音等の騒音を第２の空間部で低減することができ、電気掃除機の静音性を向上させることができる。また、第２の空間部は、掃除機本体の外部と直接連通せず、排気風路とのみ連通しているため、電動送風機で発生され、電動送風機から排出された排気風の一部とともに第２の空間部に流入した風切り音や第２の空間部で発生した風切り音等の騒音が掃除機本体の外部に伝わってしまうことを十分に防止できる。そのため、掃除機本体の内部で発生した騒音を第２の空間部で確実に低減することができ、電気掃除機の静音性を向上させることができる。さらに、第１の空間部は排気風路と連通しないように形成されているとともに、第２の空間部は第１の空間部の内部に形成されているため、第１の空間部と第２の空間部とによって二重壁構造を形成することができ、第２の空間部の内部から第２の空間部の外部へと伝わってしまった騒音を第１の空間部で低減することができる。そのため、第１の空間部及び第２の空間部によって、掃除機本体の内部で発生された騒音が掃除機本体の外部へと伝わってしまうことを十分に防止でき、電気掃除機の静音性を向上させることができる。
【００１５】
第２の発明は、特に、第１の発明において、第２の空間部は、第２の空間部の排気風路側の断面積が第２の空間部の排気風路とは反対側の断面積よりも大きくなるように形成されている、構成としたものである。
【００１６】
これにより、電動送風機で発生され、電動送風機から排出された排気風の一部とともに第２の空間部に流入した風切り音や第２の空間部で発生した風切り音等の騒音に含まれる様々な周波数の音を第２の空間部で低減することができ、電気掃除機の静音性を向上させることができる。
【００１７】
第３の発明は、特に、第１または第２の発明において、掃除機本体の内部には、電動送風機で発生された吸引風によって吸引された塵埃を集塵装置へと導く吸引風路が設けられており、吸引風路は、第１の空間部に設けられている、構成としたものである。
【００１８】
これにより、吸引風路が第１の空間部の内部に形成されるため、第１の空間部と吸引風
路とによって二重壁構造を形成することができる。そのため、吸引風路内で発生した風切り音などの騒音が掃除機本体の外部へと伝わることを十分に防止でき、電気掃除機の静音性をさらに向上させることができる。
【００１９】
第４の発明は、特に、第１〜第３の発明において、掃除機本体には、集塵装置が取り付けられる集塵装置取付部が設けられており、第１の空間部は、掃除機本体の内部で、かつ、集塵装置取付部の下部に形成されている、構成としたものである。
【００２０】
これにより、集塵装置取付部の下部の掃除機本体の内部に形成された空間を有効に活用することができるため、第１の空間部を形成するための空間を掃除機本体の内部に別途形成する必要がなく、掃除機本体が大型化してしまうことを防止することができる。
【００２１】
第５の発明は、特に、第１〜第４の発明において、排気風路及び第２の空間部には吸音材は配置されている、構成としたものである。
【００２２】
これにより、排気風路及び第２の空間部に配置された吸音材によって、電動送風機で発生された風切り音や排気風路及び第２の空間部で発生された風切り音などの騒音を吸音することができる。そのため、掃除機本体の内部で発生された騒音をさらに低減することができ、電気掃除機の静音性をさらに向上させることができる。
【００２３】
第６の発明は、特に、第１〜第５の発明において、第２の空間部は、第２の空間部の内部において、第２の空間部の排気風路と対向する側の面と排気風路との距離が異なるように階段形状に形成されている、構成としたものである。
【００２４】
これにより、電動送風機で発生され、電動送風機から排出された排気風の一部とともに第２の空間部に流入した風切り音や第２の空間部で発生した風切り音等の騒音に含まれる様々な周波数の音を第２の空間部で低減することができ、電気掃除機の静音性を向上させることができる。
【００２５】
以下、図面を参照しながら本発明の電気掃除機の好適な実施形態について詳細に説明する。なお、以下の説明では、同一または相当部分には同一符号を付し、重複する説明は省略する。
【００２６】
（実施の形態１）
本発明の電気掃除機の実施の形態１について、図１〜図９を用いて説明する。
【００２７】
図１は、本発明の実施の形態１における電気掃除機の全体斜視図である。また、図２は、本発明の実施の形態１における集塵装置の前方斜視図である。さらに、図３は、本発明の実施の形態１における集塵装置の後方斜視図である。また、図４は、本発明の実施の形態１における集塵装置の断面図である。さらに、図５は、本発明の実施の形態１における掃除機本体の全体斜視図である。また、図６は、本発明の実施の形態１における集塵装置を取り外した状態での掃除機本体の全体斜視図である。さらに、図７は、本発明の実施の形態１における下枠体及び上枠体を取り外した状態での掃除機本体の全体斜視図である。また、図８は、本発明の実施の形態１における被清掃面に垂直な面での掃除機本体の断面図である。さらに、図９は、本発明の実施の形態１における被清掃面に平行な面での掃除機本体の断面図である。
【００２８】
図１に示すように、電気掃除機１００は、吸引風を発生させる電動送風機３４（図８及び図９参照）を内蔵する掃除機本体１と、掃除機本体１に着脱自在に取り付けられた集塵装置２と、被清掃面の塵埃を捕集する吸込具３と、一端が掃除機本体１に設けられた吸気
口１ａに着脱自在に接続されたホース４と、一端がホース４の他端に着脱自在に接続され、他端が吸込具３に着脱自在に接続された伸縮自在或いは継ぎ自在の延長管５と、から構成されている。
【００２９】
吸込具３には、被清掃面の塵埃を掻きあげる回転ブラシ（図示せず）と、回転ブラシ（図示せず）を回転駆動する電動機（図示せず）と、が内蔵されている。また、ホース４の延長管５側の端部には、使用者が掃除する際に保持する把手部６を備えた先端パイプ７が設けられており、この先端パイプ７を介してホース４と延長管５とが着脱自在に接続されている。さらに、ホース４の掃除機本体１側の端部には、接続パイプ８が設けられており、この接続パイプ８を介して掃除機本体１の吸気口１ａとホース４とが着脱自在に接続されている。
【００３０】
図２〜図４に示すように、集塵装置２は、主として、両端に開口部（図示せず）を有する略円筒状の集塵装置本体と、集塵装置本体９の内部に集塵装置本体９と同心状に配置されており、一次フィルター１０を有する一次フィルター取り付け枠１１と、一次フィルター取り付け枠１１の上方に配置された二次フィルター１２と、一次フィルター１０の下方に配置された傘状の第１の延出部１３と、一次フィルター１０と第１の延出部１３との間に配置された第２の延出部１４と、集塵装置本体９に回動自在に取り付けられており、集塵装置本体９の下端側の開口部（図示せず）を開閉自在に覆う下蓋体１５と、集塵装置本体９に着脱自在に取り付けられており、集塵装置本体９の上端側の開口部（図示せず）及び二次フィルター１２の上面を覆う上蓋体１６と、上蓋体１６に回動自在に軸支されたハンドル１７と、から構成されている。
【００３１】
集塵装置本体９は、集塵装置本体９の長手方向の中央部の内径が集塵装置本体９の長手方向の両端の内径よりも小さくなるように形成されている。また、集塵装置本体９の後部には、後述する掃除機本体１の集塵装置取付部４２に集塵装置２が取り付けられた状態で、掃除機本体１の吸気口１ａと連通する流入口９ａが形成されている。さらに、集塵装置本体９の内部には、電動送風機３４（図８及び図９参照）で発生された吸引風によって吸引され、掃除機本体１に設けられた吸気口１ａを介して集塵装置本体９に設けられた流入口９ａから集塵装置２の内部に流入した塵埃を遠心分離する遠心分離空間部２ａと、遠心分離空間部２ａの下流側に設けられており、遠心分離空間部２ａで遠心分離された塵埃を捕集する塵埃蓄積空間部２ｂと、が形成されている。この遠心分離空間部２ａは、集塵装置本体９の内面と一次フィルター１０とによって集塵装置２の長手方向の略中央部に形成されている。また、塵埃蓄積空間部２ｂは、集塵装置本体９の内面、第１の延出部１３、及び、下蓋体１５によって集塵装置２の下部に形成されている。
【００３２】
一次フィルター１０は、金属材料で構成されており、金属表面部分には樹脂などによる凹凸形状を設けない構成とすることで、旋回流が滑らかに流れることになり、分離効率を高めるとともに、塵埃などの巻きつきを軽減する効果を発揮する。なお、一次フィルター１０の表面に研磨処理を施すことによって、その効果を高めることができ、また抗菌処理を施すことによって、一次フィルター１０を清潔に保つことができる。また、一次フィルター１０は、集塵装置本体９と略同心状に形成された一次フィルター取り付け枠１１に取り付けられた状態で集塵装置本体９の内部に配置されているとともに、一次フィルター取り付け枠１１が集塵装置本体９の内部に取り付けられた状態で、一次フィルター１０は集塵装置本体９の流入口９ａに対向する位置に位置するように構成されている。
【００３３】
一次フィルター１０の上方、すなわち、一次フィルター取り付け枠１１の上部には、プリーツ状に形成された二次フィルター１２が配置されており、一次フィルター１０を通過した塵埃が二次フィルター１２によって捕集されるように構成されている。また、二次フィルター１２の上部には、二次フィルター１２に付着した塵埃を除塵する除塵部１８と、
除塵部１８を駆動させる駆動部１９と、が配置されている。除塵部１８は、二次フィルター１２の上面と当接するように二次フィルター１２と後述する上蓋体１６との間に配置されており、駆動部１９は、後述する上蓋体１６の内部に配置されている。
【００３４】
一次フィルター１０の下部には、一次フィルター取り付け枠１１の下端から集塵装置本体９の下方に向かって延出された傘状の第１の延出部１３が形成されている。第１の延出部１３は、集塵装置本体９の長手方向の中心軸に対して所定角度傾斜するように一次フィルター取り付け枠１１の下端から集塵装置本体９の下方に向かって延出された第１の傾斜部１３ａと、集塵装置本体９の長手方向の中心軸に対して略平行となるように第１の傾斜部１３ａの下端から集塵装置本体９の下方に向かって延設された垂直部１３ｂと、第１の傾斜部１３ａと垂直部１３ｂの内側に設けられ、第１の傾斜部１３ａの上端から集塵装置本体９の下方に向かって延出された略円筒状の第１の円筒部１３ｃと、第１の円筒部１３ｃの内側に設けられているとともに、第１の傾斜部１３ａの上端から集塵装置本体９の中心軸に向かって延設され、除塵部１８によって二次フィルター１２から除塵された塵埃を集塵装置２の下部に導く第２の傾斜部１３ｄと、第２の傾斜部１３ｄの下部から集塵装置本体９の下方に向かって延設された第２の円筒部１３ｅと、から構成されている。
【００３５】
第１の傾斜部１３ａは、集塵装置本体９の下方に向かうにつれて集塵装置本体９の径方向に広がるように形成されている。また、第１の傾斜部１３ａ及び垂直部１３ｂと集塵装置本体９の内面との間には、遠心分離空間部２ａで遠心分離された塵埃を塵埃蓄積空間部２ｂへと導く塵埃通路部２ｃが形成されており、この塵埃通路部２ｃは、塵埃通路部２ｃの幅Ｈ１が遠心分離空間部２ａの幅Ｈ２よりも小さくなるように形成されている。さらに、垂直部１３ｂの下端と後述する下蓋体１５との間、および、第１の円筒部１３ｃの下端と後述する下蓋体１５との間には隙間（図示せず）が形成されている。また、第１の傾斜部１３ａ及び垂直部１３ｂと第１の円筒部１３ｃとの間、および、第１の円筒部１３ｃと第２の傾斜部１３ｄ及び第２の円筒部１３ｅとの間には、空間（図示せず）が形成されており、この空間（図示せず）によって、塵埃蓄積空間部２ｂに蓄積された塵埃が遠心分離空間部２ａへ舞いあがることを防止している。また、第２の円筒部１３ｅは、第２の円筒部１３ｅの下端が後述する下蓋体１５に当接するように構成されている。また、第１の延出部１３の一次フィルター取り付け枠１１側の端部には、第１の延出部１３から一次フィルター取り付け枠１１側に向かって延設された嵌合爪部（図示せず）が設けられている。さらに、一次フィルター取り付け枠１１の内部の嵌合爪部（図示せず）に対応する位置には、嵌合爪部（図示せず）と嵌合する嵌合突起部（図示せず）が設けられており、この嵌合爪部（図示せず）と嵌合突起部（図示せず）とが嵌合することで、一次フィルター取り付け枠１１の下端に第１の延出部１３が取り付けられる。ここで、本実施の形態においては、嵌合爪部（図示せず）と嵌合突起部（図示せず）とを嵌合させることで、一次フィルター取り付け枠１１の下端に第１の延出部１３を取り付ける構成について説明したが、第１の延出部１３は溶着などの手段によって一次フィルター取り付け枠１１の下端に取り付けられていてもよい。
【００３６】
一次フィルター１０と第１の延出部１３との間には、一次フィルター１０から離れる方向に向かって延設された第２の延出部１４が設けられている。また、第２の延出部１４には、第１の延出部１３に設けられた嵌合爪部（図示せず）が挿入される嵌合孔部（図示せず）が設けられており、第２の延出部１４は、第１の延出部１３の嵌合爪部（図示せず）が第２の延出部１４の嵌合孔部（図示せず）に挿入された状態で、第１の延出部１３の嵌合爪部（図示せず）と一次フィルター取り付け枠１１の嵌合突起部（図示せず）とが嵌合されることで、一次フィルター取り付け枠１１と第１の延出部１３とで挟持されている。さらに、第２の延出部１４は、一次フィルター１０側に向かって凸状となるように所定の曲率で湾曲して形成されている。また、第２の延出部１４は、第２の延出部１４の外周側の端部と集塵装置本体９との間、及び、第２の延出部１４の外周側の端部と第１の延出部
１３との間に隙間（図示せず）が形成されるように構成されている。
【００３７】
下蓋体１５は、集塵装置本体９の前方の下部に設けたヒンジ部２０に回動自在に取り付けられるとともに、集塵装置本体９に設けた尾錠部２１によって、集塵装置本体９の下端の開口部（図示せず）を閉塞した状態で集塵装置本体９に保持される。また、下蓋体１５の集塵装置本体９に当接する位置には、第１のシール部材２２が配置されており、この第１のシール部材２２によって、下蓋体１５が集塵装置本体９の下端の開口部（図示せず）を閉塞した状態で、集塵装置本体９と下蓋体１５との間の気密性が保持されている。さらに、下蓋体１５の第２の円筒部１３ｅと当接する位置には、第２のシール部材２３が配置されており、この第２のシール部材２３によって、下蓋体１５が集塵装置本体９の下端の開口部（図示せず）を閉塞した状態で、第２の円筒部１３ｅと下蓋体１５との間の気密性が保持されている。また、下蓋体１５は、使用者が後述する上蓋体１６に設けられた開閉操作部２５を操作することで、集塵装置本体９の後部に設けられたスライダー２４が下方に押し下げられ、このスライダー２４によって尾錠部２１が回動されることで、下蓋体１５と尾錠部２１との係合が解除され、集塵装置本体９の下端の開口部（図示せず）を開放されるように構成されている。
【００３８】
上蓋体１６は、集塵装置本体９内に一次フィルター取り付け枠１１及び二次フィルター１２が取り付けられた状態において、集塵装置本体９の上端の開口部（図示せず）及び二次フィルター１２の上面を覆うように、集塵装置本体９の上部に着脱自在に取り付けられている。また、上蓋体１６の内部には、除塵部１８を駆動する駆動部１９が内蔵されている。さらに、上蓋体１６の後部には、集塵装置本体９の流入口９ａから集塵装置２の内部へと流入し、一次フィルター１０及び二次フィルター１２によって塵埃が除去されたあとの吸引風を集塵装置２の外部へと排出する流出口１６ａが設けられている。また、上蓋体１６の上面の後部には、集塵装置本体９の下端側の開口部（図示せず）が下蓋体１５によって閉塞された状態において、下蓋体１５と尾錠部２１との係合を解除する開閉操作部２５が配置されている。さらに、上蓋体１６は、集塵装置本体９の上部に回動自在に配置された一対のバックル部２６が上蓋体１６のバックル部２６に対応する位置に設けられた嵌合凸部（図示せず）と嵌合することで、集塵装置本体９に取り付けられている。
【００３９】
また、上蓋体１６には、使用者が掃除機本体１から集塵装置２を取り外し、集塵装置２を持ち運ぶ際に使用する略Ｕ字状のハンドル１７が上蓋体１６に回動自在に軸支されている。ハンドル１７の回動軸（図示せず）には、ハンドル１７を収納状態から倒立状態となる方向に付勢する付勢手段（図示せず）が取り付けられている。また、ハンドル１７の回動軸（図示せず）側の端部には、ハンドル１７の収納状態において、ハンドル１７の回動軸（図示せず）側の端部から集塵装置２の上方に向かって延設された第１の係合爪部１７ａが形成されている。第１の係合爪部１７ａは、集塵装置２が掃除機本体１に取り付けられた状態において、後述する掃除機本体１の本体ハンドル３１に形成された第３の係合凹部３１ａと係合され、掃除機本体１に集塵装置２を保持させるとともに、ハンドル１７の倒立状態において、上蓋体１６の上面に形成された第１の係合凹部１６ｂと係合され、ハンドル１７を倒立状態で保持させるように構成されている。
【００４０】
ハンドル１７の中央部には、第２の係合凹部１７ｂが形成されている。また、上蓋体１６の前部には、ハンドル１７の中央部に形成された第２の係合凹部１７ｂと係合し、付勢手段（図示せず）の付勢力に反してハンドル１７を収納状態で保持する第２の係合爪部１６ｃが設けられている。さらに、上蓋体１６の前部には、ハンドル１７に形成された第２の係合凹部１７ｂと上蓋体１６に設けられた第２の係合爪部１６ｃとが係合され、ハンドル１７が収納状態で保持されている状態において、第２の係合凹部１７ｂと第２の係合爪部１６ｃとの係合を解除する係合解除操作部２７が設けられており、この係合解除操作部２７は、第２の係合爪部１６ｃと一体的に形成されている。また、係合解除操作部２７の
裏面には、係合解除操作部２７を上蓋体１６の内部から上蓋体１６の外部に向かって付勢するコイルバネ２８が配置されており、第２の係合爪部１６ｃ及び係合解除操作部２７は、上蓋体１６の内部から上蓋体１６の外部に突出するように、上蓋体１６の内部に摺動自在に設けられている。
【００４１】
図５〜図９に示すように、掃除機本体１は、掃除機本体１の下面を形成する下枠体２９と、掃除機本体１の上面を形成する上枠体３０と、から構成されており、下枠体２９と上枠体３０とは爪やネジ等によって結合されている。掃除機本体１の上部、すなわち、上枠体３０の上部には、掃除機本体１を持ち運ぶ際に使用者が保持する本体ハンドル３１が取り付けられており、この本体ハンドル３１の掃除機本体１側の両端部には、集塵装置２が掃除機本体１に取り付けられた際に、集塵装置２のハンドル１７に設けられた第１の係合爪部１７ａと係合する第３の係合凹部３１ａが設けられている。また、掃除機本体１の後方の両側、すなわち、下枠体２９の後方の両側には、一対の走行用の車輪３２が回動自在に取り付けられている。さらに、掃除機本体１の下面の前部、すなわち、下枠体２９の下面の前方には、走行用のキャスター３３が回動自在に取り付けられている。
【００４２】
掃除機本体１の後部には、吸引風を発生させる電動送風機３４を内蔵する電動送風機室３５が設けられている。また、掃除機本体１の後部には、商用電源に接続される電源コード（図示せず）を巻取り電源コード巻取り装置３６が配置されている。
【００４３】
電動送風機３４は、電動送風機３４の上部及び下部に取り付けられた弾性材料で形成された上部サポートゴム（図示せず）及び下部サポートゴム（図示せず）が、電動送風機３４の外周に配置され、電動送風機３４の外周を覆う電動送風機ケース３７によって挟持された状態で電動送風機室３５に配置されている。また、電動送風機ケース３７の前部には、電動送風機３４から排出された排気風を電動送風機ケース３７の外部、すなわち、電動送風機室３５へと排出する排出口３７ａが設けられている。さらに、電動送風機ケース３７の排出口３７ａには、電動送風機３４から排出された排気風に含まれる塵埃を捕集する排気フィルター３７ｂが配置されている。
【００４４】
電動送風機室３５内に配置された電動送風機ケース３７の下方、すなわち、下枠体２９と電動送風機ケース３７との間には、電動送風機ケース３７の排出口３７ａから排出された排気風を掃除機本体１の後部に形成された排気口１ｂへと導く排気風路３８が形成されており、電動送風機３４から排出された排気風は、電動送風機ケース３７の排出口３７ａから電動送風機室３５内へと排出され、その後、排気風路３８を介して排気口１ｂへと導かれ、排気口１ｂから掃除機本体１の外部へと排出される。また、排気風路３８の下部には、電動送風機３４から排出された排気風に含まれる風切り音等の騒音を吸音する第１の吸音材３９が排気風路３８の略全長にわたって配置されている。ここで、本実施の形態においては、第１の吸音材３９として、通気性が２０〜７０ｃｃ／ｃｍ２／秒のポリエチレン或いはポリプロピレンを素材とするスパンボンド工法によって製造された不織布を表層とし、ケミカルボンド、ヒートボンド或いはメルトブロー工法により製造された不織布材からなる目付量が３００〜６００ｇ／ｍ２の吸音材を使用している。
【００４５】
電動送風機３４の上流側には、集塵装置２が掃除機本体１に取り付けられた状態で、集塵装置２に設けられた流出口１６ａから排出された空気を電動送風機３４に形成された吸入口（図示せず）へと導く吸入風路４０が設けられている。吸入風路４０は、一端が電動送風機ケース３７の電動送風機３４の吸入口（図示せず）に対向する位置に設けられた第１の連通口３７ｃに連通している。また、吸入風路４０の他端には、集塵装置２に設けられた流出口１６ａに連通する格子状の第２の連通口４０ａが形成されており、吸入風路４０は、集塵装置２が掃除機本体１に取り付けられた状態において、集塵装置２に設けられた流出口１６ａと吸入風路４０に設けられた第２の連通口４０ａとが当接することで、集
塵装置２の内部と連通するように構成されている。さらに、第２の連通口４０ａには、集塵装置２が掃除機本体１に取り付けられたときに、集塵装置２の流出口１６ａと圧接され、集塵装置２の流出口１６ａと吸入風路４０の第２の連通口４０ａとの間の気密性を保持させる第３のシール部材４１が配置されている。
【００４６】
掃除機本体１の前部、すなわち、上枠体３０の前部には、電動送風機３４で発生された吸引風によって吸引された塵埃を分離捕集する集塵装置２が着脱自在に取り付けられる集塵装置取付部４２が設けられており、集塵装置２は集塵装置取付部４２に所定角度傾斜して取り付けられることで、掃除機本体１に対して所定角度傾斜した状態で取り付けられる。ここで、本実施の形態においては、集塵装置２が略４５度傾斜した状態で掃除機本体１に取り付けられるように構成している。
【００４７】
集塵装置取付部４２の吸入風路４０に設けられた第２の連通口４０ａに対応する位置には、吸入風路４０に設けられた第２の連通口４０ａが挿入される第１の開口部４２ａが設けられており、第２の連通口４０ａは、集塵装置取付部４２に設けられた第１の開口部４２ａから集塵装置取付部４２の上部に露出することで、集塵装置２の流出口１６ａと当接するように構成されている。また、集塵装置取付部４２の集塵装置２に設けられた流入口９ａに対向する位置には、第２の開口部４２ｂが設けられている。また、第２の開口部４２ｂには、集塵装置２が掃除機本体１に取り付けられた状態で、集塵装置２の流入口９ａと圧接され、集塵装置２の流入口９ａと第２の開口部４２ｂとの間の気密性を保持させる第４のシール部材４２ｃが配置されている。さらに、掃除機本体１の内部には、一端が掃除機本体１の吸気口１ａに連通するとともに、他端が集塵装置取付部４２に設けられた第２の開口部４２ｂに連通する吸引風路４３が設けられており、電動送風機３４で発生されて吸引風によって吸引され、掃除機本体１の吸気口１ａから掃除機本体１の内部に流入した塵埃は、吸引風路４３及び第２の開口部４２ｂを介して集塵装置２に設けられた流入口９ａから集塵装置２の内部に流入するように構成されている。
【００４８】
集塵装置取付部４２の下部の掃除機本体１の内部には、第１の空間部４４が形成されている。第１の空間部４４は、下枠体２９から上枠体３０に向かって延設された隔壁４５によって電動送風機室３５と区画されており、第１の空間部４４は、下枠体２９、上枠体３０、及び、隔壁４５によって形成されている。また、第１の空間部４４の内部には、掃除機本体１の内部に流入した塵埃を集塵装置２に導く吸引風路４３が配置されているとともに、下枠体２９及び上枠体３０とは別体に設けられたケース体４６によって第１の空間部４４とは区画されて形成された第２の空間部４７が形成されている。
【００４９】
ケース体４６は、ケース体４６の下枠体２９側の面及びケース体４６の隔壁４５側の面が開放されているとともに、ケース体４６の下枠体２９側の端部及びケース体４６の隔壁４５の端部がそれぞれ下枠体２９及び隔壁４５に当接されるように配置されており、第２の空間部４７は、下枠体２９、隔壁４５、及び、ケース体４６によって形成されている。また、第２の空間部４７は、被清掃面に平行な面での断面が略四角形状となるように形成されているとともに、第２の空間部４７の内部には、電動送風機３４から排出された排気風に含まれる風切り音等の騒音を吸音する第２の吸音材４８が配置されている。ここで、本実施の形態においては、第２の吸音材４８として、その密度が５０〜８０ｋｇ／ｍ３の吸音材を使用している。
【００５０】
第２の空間部４７を形成する隔壁４５には、ケース体４６の内部に形成された第２の空間部４７と、電動送風機室３５に形成された排気風路３８とを連通させる第３の連通口４５ａが形成されている。また、ケース体４６の下枠体２９側の端部及びケース体４６の隔壁４５の端部には、ケース体４６が第１の空間部４４に取り付けられた状態で、第１の空間部４４と第２の空間部４７との気密性を保持させる第５のシール部材（図示せず）が設
けられており、この第５のシール部材（図示せず）により、第１の空間部４４と第２の空間部４７との間の気密性が保持されるとともに、第１の空間部４４が排気風路３８と連通しないように構成されている。
【００５１】
以上のように構成された電気掃除機１００について、以下、その動作、作用を説明する。
【００５２】
掃除機本体１に集塵装置２が取り付けられた状態、すなわち、掃除機本体１の本体ハンドル３１に形成された第３の係合凹部３１ａと集塵装置２のハンドル１７に形成された第１の係合爪部１７ａとが係合され、かつ、集塵装置２のハンドル１７が収納状態となっている状態で、使用者が把手部６を保持し、電気掃除機１００の運転を開始すると、電動送風機３４で吸引風が発生し吸引力が発生する。この状態で、使用者が被清掃面上で吸込具３を動かすと、吸込具３から被清掃面上の塵埃が吸引風とともに吸引される。吸込具３から吸引された塵埃を含む吸引風は、延長管５及びホース４を介して吸気口１ａから掃除機本体１内へと流入する。掃除機本体１内へと流入した塵埃を含む吸引風は、吸入風路４０及び第２の開口部４２ｂを介して集塵装置２に設けられた流入口９ａから集塵装置２の内部へと流入する。
【００５３】
集塵装置２の内部に流入した塵埃を含む空気は、集塵装置本体９の内面と一次フィルター１０とで形成される遠心分離空間部２ａに流入し、遠心分離空間部２ａで発生する旋回流により粗塵や細塵などを含む塵埃と空気とが遠心分離される。遠心分離空間部２ａで遠心分離された塵埃は、第１の延出部１３及び第２の延出部１４と集塵装置本体９の内面との間に形成された塵埃通路部２ｃを通り、集塵装置本体９の内面、第１の延出部１３、及び、下蓋体１５によって集塵装置２の下部に形成された塵埃蓄積空間部２ｂへと蓄積される。
【００５４】
ここで、図４に示すように、本実施の形態においては、塵埃通路部２ｃの幅Ｈ１が遠心分離空間部２ａの幅Ｈ２がよりも小さくなるように形成しているため、遠心分離空間部２ａから塵埃蓄積空間部２ｂに流入する空気の流速を増加させることができ、遠心分離空間部２ａから塵埃蓄積空間部２ｂに向けて押さえつける力を発生させることができる。そのため、塵埃蓄積空間部２ｂに蓄積した塵埃を圧縮することができるとともに、塵埃蓄積空間部２ｂに蓄積した塵埃が遠心分離空間部２ａに舞い戻ることを防止することができる。
【００５５】
また、塵埃蓄積空間部２ｂに塵埃とともに流入した空気は、電動送風機３４の吸引力によって塵埃蓄積空間部２ｂから遠心分離空間部２ａへと流れるが、このとき、塵埃蓄積空間部２ｂに蓄積された塵埃が塵埃蓄積空間部２ｂから遠心分離空間部２ａへと流れる空気の流れによって遠心分離空間部２ａへと導かれてしまい、一次フィルター１０に付着してしまうことがある。そこで、本実施の形態においては、一次フィルター１０の下部に第１の延出部１３を形成するとともに、一次フィルター１０と第１の延出部１３との間に第２の延出部１４を形成することで、塵埃蓄積空間部２ｂに流入した空気とともに塵埃蓄積空間部２ｂから遠心分離空間部２ａへと舞い戻ろうとする塵埃を一次フィルター１０から離れる方向、すなわち、遠心分離空間部２ａの旋回気流の流速が速い領域に導き、塵埃蓄積空間部２ｂから遠心分離空間部２ａへ舞い戻ろうとする塵埃を、遠心分離空間部２ａから塵埃蓄積空間部２ｂへと流れる塵埃とともに塵埃蓄積空間部２ｂへと流入させ、塵埃蓄積空間部２ｂに蓄積された塵埃が遠心分離空間部２ａ側へと舞い戻り、一次フィルター１０に付着することを防止することができる。また、本実施の形態においては、一次フィルター１０の下部に形成した第１の延出部１３の第１の傾斜部１３ａ及び垂直部１３ｂと第２の円筒部１３ｅとの間に第１の円筒部１３ｃを設けるとともに、一次フィルター１０と第１の延出部１３との間に第２の延出部１４を形成し、塵埃蓄積空間部２ｂに流入した空気が遠心分離空間部２ａへと流れる流路の長さを長くすることで、塵埃蓄積空間部２ｂに蓄
積された塵埃が塵埃蓄積空間部２ｂから遠心分離空間部２ａへと流れる空気とともに遠心分離空間部２ａに流入することを防止している。
【００５６】
遠心分離空間部２ａで塵埃が遠心分離された空気は、一次フィルター１０を通過し、その後、二次フィルター１２を通過することで、遠心分離空間部２ａで遠心分離されず、空気とともに一次フィルター１０を通過した塵埃が二次フィルター１２で捕集される。そして、塵埃を含まない空気のみが二次フィルター１２を通過し、集塵装置２の流出口１６ａから集塵装置２の外部へと排出される。
【００５７】
二次フィルター１２で捕集された塵埃は、電動送風機３４の運転停止時に、二次フィルター１２の上方に設けられた除塵部１８に駆動部１９から振動が与えられることによって、二次フィルター１２から剥離される。そして、二次フィルター１２から剥離された塵埃は、一次フィルター取り付け枠１１より内側の空間を通り、一次フィルター１０の下方へと導かれる。一次フィルター１０の下方へと導かれた塵埃は、第１の延出部１３に形成された第２の傾斜部１３ｄによって第２の円筒部１３ｅの内部へと導かれ、第２の円筒部１３ｅの内部に蓄積される。
【００５８】
集塵装置２の流出口１６ａから排出された空気は、第２の連通口４０ａから掃除機本体１の内部へと流入するとともに、掃除機本体１の内部に形成された吸入風路４０を介して電動送風機３４の吸気口へと至り、電動送風機３４の内部へと流入する。そして、電動送風機３４の内部へと流入した空気は、電動送風機３４の外周に配置された電動送風機ケース３７の内部へと排出され、その後、電動送風機ケース３７に形成された排出口３７ａ電動送風機室３５の内部へと排出される。電動送風機室３５の内部に排出された排気風は、電動送風機ケース３７と下枠体２９との間に形成された排気風路３８を介して掃除機本体１に形成された排気口１ｂへと至り、排気口１ｂから掃除機本体１の外部へと排出される。このとき、本実施の形態においては、排気風路３８の略全長にわたって第１の吸音材３９を配置しているため、電動送風機３４から排出された排気風に含まれる風切り音等の騒音を第１の吸音材３９で吸音される。
【００５９】
また、本実施の形態においては、排気風路３８の途中に、排気風路３８と連通する第２の空間部４７を形成しているため、電動送風機３４から排出され、排気風路３８を介して掃除機本体１の排気口１ｂから掃除機本体１の外部に排出される排気風の一部が第２の空間部４７の内部へと流入し、電動送風機３４から排出された排気風に含まれる風切り音等の騒音が第２の空間部４７にて低減される。すなわち、電動送風機３４から排出され、排気風路３８を介して掃除機本体１の排気口１ｂから掃除機本体１の外部に排出される排気風の一部は、電動送風機室３５と第１の空間部４４とを隔壁４５に形成された第３の連通口４５ａから第２の空間部４７の内部へと流入する。第２の空間部４７の内部に流入した排気風は、排気風に含まれる騒音の音圧が第２の空間部４７で低減されるとともに、第２の空間部４７に配置された第２の吸音材４８によって吸音され、排気風中に含まれる騒音が低減される。第２の空間部４７で騒音が低減された排気風は、隔壁４５に形成された第３の連通口４５ａから排気風路３８へと流入し、排気風路３８を介して掃除機本体１の排気口１ｂから掃除機本体１の外部へと排出される。
【００６０】
使用者が集塵装置２の内部に蓄積した塵埃を捨てる場合、使用者は、コイルバネ２８の付勢力に反して、集塵装置２の前方の上部、すなわち、集塵装置２の上蓋体１６の前部に設けられた係合解除操作部２７を操作し、ハンドル１７の第２の係合凹部１７ｂと第２の係合爪部１６ｃとの係合、及び、掃除機本体１の本体ハンドル３１に設けられた第３の係合凹部３１ａと集塵装置２のハンドル１７に設けられた第１の係合爪部１７ａとの係合を解除することで、集塵装置２を掃除機本体１から取り外し、集塵装置２の内部に蓄積した塵埃を廃棄する。使用者により係合解除操作部２７が操作されると、ハンドル１７の第２
の係合凹部１７ｂと第２の係合爪部１６ｃとの係合が解除され、付勢手段（図示せず）の付勢力によって、ハンドル１７が収納状態から倒立状態へと回動される。付勢手段（図示せず）の付勢力によって、ハンドル１７が収納状態から倒立状態へと回動されると、ハンドル１７の回動に連動して、本体ハンドル３１に設けられた第３の係合凹部３１ａとハンドル１７に設けられた第１の係合爪部１７ａとの係合が解除される。この状態で、使用者は、ハンドル１７を保持し、集塵装置２を掃除機本体１の上方へと持ち上げることで、集塵装置２を掃除機本体１から取り外すことができる。
【００６１】
集塵装置２を掃除機本体１から取り外した後、使用者は、ハンドル１７が倒立状態となるようにハンドル１７をさらに回動させる。このとき、使用者は、ハンドル１７を上蓋体１６の上面に対して９０度以上倒立させ、ハンドル１７に設けた第１の係合爪部１７ａと上蓋体１６に設けた第１の係合凹部１６ｂとを係合させ、ハンドル１７を倒立状態で保持固定させる。この状態で、使用者は、ハンドル１７を保持し、集塵装置２をゴミ箱等の上へと移動させ、上蓋体１６の上面の後部に形成された開閉操作部２５を操作する。使用者により開閉操作部２５が操作されると、スライダー２４が下方に押し下げられ、尾錠部２１が回動し、下蓋体１５と尾錠部２１との係合が解除されるとともに、下蓋体１５がヒンジ部２０を中心に回動し、集塵装置本体９の下端側の開口部（図示せず）が解放され、集塵装置２の塵埃蓄積空間部２ｂに蓄積された塵埃が集塵装置本体９の下端側の開口部（図示せず）から集塵装置２の外部へと排出される。
【００６２】
以上のように、本実施の形態においては、電動送風機３４から排出された排気風を掃除機本体１の外部へと導く排気風路３８に、第１の吸音材３９を配置しているため、電動送風機３４から排出された排気風に含まれる風切り音等の騒音を第１の吸音材３９で吸音することができ、掃除機本体１の内部で発生した騒音を低減することができる。
【００６３】
また、本実施の形態においては、排気風路３８の途中に、排気風路３８と連通する第２の空間部４７を形成しているため、電動送風機３４から排出され、排気風路３８を介して掃除機本体１の排気口１ｂから掃除機本体１の外部に排出される排気風の一部を第２の空間部４７の内部へと導き、第２の空間部４７の内部に流入した排気風に含まれる騒音の音圧を第２の空間部４７で低減することができるとともに、第２の空間部４７に配置された第２の吸音材４８によって排気風中に含まれる騒音を吸音することができる。そのため、掃除機本体１の内部で発生した騒音を第２の空間部４７で低減することができ、電気掃除機１００の静音性を向上させることができる。
【００６４】
さらに、本実施の形態においては、第２の空間部４７は、掃除機本体１の外部と直接連通せず、排気風路３８とのみ連通しているため、電動送風機３４で発生され、電動送風機３４から排出された排気風の一部とともに第２の空間部４７に流入した風切り音や第２の空間部４７で発生した風切り音等の騒音が掃除機本体１の外部に伝わってしまうことを十分に防止できる。そのため、掃除機本体１の内部で発生した騒音を第２の空間部４７で確実に低減することができ、電気掃除機１００の静音性を向上させることができる。
【００６５】
また、本実施の形態においては、第１の空間部４４は排気風路３８と連通しないように形成されているとともに、第２の空間部４７は第１の空間部４４の内部に形成されているため、第１の空間部４４と第２の空間部４７とによって二重壁構造を形成することができ、第２の空間部４７の内部から第２の空間部４７の外部へと伝わってしまった騒音を第１の空間部４４で低減することができる。そのため、第１の空間部４４及び第２の空間部４７によって、掃除機本体１の内部で発生された騒音が掃除機本体１の外部へと伝わってしまうことを十分に防止でき、電気掃除機１００の静音性を向上させることができる。
【００６６】
さらに、本実施の形態においては、電動送風機３４で発生された吸引風によって吸引さ
れた塵埃を集塵装置２へと導く吸引風路４３を第１の空間部４４の内部に形成しているため、第１の空間部４４と吸引風路４３とによって二重壁構造を形成することができる。そのため、吸引風路４３内で発生した風切り音などの騒音が掃除機本体１の外部へと伝わることを十分に防止でき、電気掃除機１００の静音性をさらに向上させることができる。
【００６７】
また、本実施の形態においては、集塵装置取付部４２の下部の掃除機本体１の内部に第１の空間部４４を形成しているため、集塵装置取付部４２の下部の掃除機本体１の内部に形成された空間を有効に活用することができる。そのため、第１の空間部４４を形成するための空間を掃除機本体１の内部に別途形成する必要がなく、掃除機本体１が大型化してしまうことを防止することができる。
【００６８】
（実施の形態２）
本発明の電気掃除機の実施の形態２について、図１０及び図１１を用いて説明する。なお、上述した実施の形態１と同一または相当する部分には同一符号を付し、その説明を省略する。
【００６９】
図１０は、本発明の実施の形態２における被清掃面に垂直な面での掃除機本体の断面図である。また、図１１は、本発明の実施の形態２における被清掃面に平行な面での掃除機本体の断面図である。
【００７０】
図１０及び図１１に示すように、本実施の形態において、第２の空間部４７を形成するケース体４６は、ケース体４６の排気風路３８側の高さＴ１がケース体４６の排気風路３８とは反対側の高さＴ２よりも高くなるように形成されている。また、ケース体４６は、ケース体４６の排気風路３８側の幅Ｈ３がケース体４６の排気風路３８とは反対側の幅Ｈ４よりも大きくなるように形成されている。そして、第２の空間部４７は、第２の空間部４７の排気風路３８側の断面積が第２の空間部４７の排気風路３８とは反対側の断面積よりも大きくなるように形成されているとともに、第２の空間部４７は、排気風路３８側から排気風路３８とは反対側にいくに連れて、第２の空間部４７の断面積が徐々に小さくなるように形成されており、第２の空間部４７は、被清掃面に平行な面での断面が略台形状となるように形成されている。
【００７１】
以上のように構成された電気掃除機１００について、以下、その動作、作用を説明する。
【００７２】
掃除機本体１に集塵装置２が取り付けられた状態で、使用者により電気掃除機１００の運転が開始されると、電動送風機３４で吸引風が発生され、吸引力が発生される。この状態で、使用者が被清掃面上で吸込具３を動かすと、吸込具３から被清掃面上の塵埃が吸引風とともに吸引される。吸込具３から吸引された塵埃を含む吸引風は、延長管５及びホース４を介して吸気口１ａから掃除機本体１内へと流入する。掃除機本体１内へと流入した塵埃を含む吸引風は、吸入風路４０及び第２の開口部４２ｂを介して集塵装置２に設けられた流入口９ａから集塵装置２の内部へと流入する。
【００７３】
集塵装置２の内部に流入した塵埃を含む空気は、集塵装置２の内部に形成された遠心分離空間部２ａに流入し、遠心分離空間部２ａで発生する旋回流により粗塵や細塵などを含む塵埃と空気とが遠心分離される。遠心分離空間部２ａで遠心分離された塵埃は、集塵装置２の内部に形成された塵埃通路部２ｃを通り、集塵装置２の下部に形成された塵埃蓄積空間部２ｂへと蓄積される。
【００７４】
遠心分離空間部２ａで塵埃が遠心分離された空気は、一次フィルター１０及び二次フィルター１２を通過し、集塵装置２の流出口１６ａから集塵装置２の外部へと排出される。
集塵装置２の流出口１６ａから排出された空気は、第２の連通口４０ａから掃除機本体１の内部へと流入するとともに、掃除機本体１の内部に形成された吸入風路４０を介して電動送風機３４の吸気口へと至り、電動送風機３４の内部へと流入する。そして、電動送風機３４の内部へと流入した空気は、電動送風機３４の外周に配置された電動送風機ケース３７の内部へと排出され、その後、電動送風機ケース３７に形成された排出口３７ａ電動送風機室３５の内部へと排出される。
【００７５】
電動送風機室３５の内部に排出された排気風は、電動送風機ケース３７と下枠体２９との間に形成された排気風路３８を介して掃除機本体１に形成された排気口１ｂへと至り、排気口１ｂから掃除機本体１の外部へと排出される。このとき、本実施の形態においては、排気風路３８の略全長にわたって第１の吸音材３９を配置しているため、電動送風機３４から排出された排気風に含まれる風切り音等の騒音を第１の吸音材３９で吸音することができ、電動送風機３４から排出された排気風に含まれる風切り音等の騒音を排気風路３８で低減することができる。
【００７６】
また、本実施の形態においては、排気風路３８の途中に、排気風路３８と連通する第２の空間部４７を形成しているため、電動送風機３４から排出され、排気風路３８を介して掃除機本体１の排気口１ｂから掃除機本体１の外部に排出される排気風の一部が隔壁４５に形成された第３の連通口４５ａから第２の空間部４７の内部へと流入する。第２の空間部４７に流入した排気風は、排気風に含まれる騒音の音圧が第２の空間部４７で低減されるとともに、第２の空間部４７に配置された第２の吸音材４８によって吸音され、排気風中に含まれる騒音が低減される。そして、第２の空間部４７で騒音が低減された排気風は、隔壁４５に形成された第３の連通口４５ａから排気風路３８へと流入し、排気風路３８を介して掃除機本体１の排気口１ｂから掃除機本体１の外部へと排出される。
【００７７】
ここで、掃除機本体１の内部で発生される騒音には、電動送風機３４から排出された排気風による風切り音や電動送風機３４の回転によって生じるモータ音など、様々な周波数の音が含まれている。そのため、第２の空間部４７の排気風路３８側の断面積と第２の空間部４７の排気風路３８側の断面積とが略同一になるように、第２の空間部４７を四角形状に形成した場合、掃除機本体１の内部で発生される騒音のうち、単一の周波数の音については効率よく低減することができるものの、複数の周波数の音を効率よく低減することができない場合がある。そこで、本実施の形態においては、第２の空間部４７の排気風路３８側の断面積が第２の空間部４７の排気風路３８とは反対側の断面積よりも大きくなるように第２の空間部４７を形成するとともに、排気風路３８側から排気風路３８とは反対側にいくに連れて、第２の空間部４７の断面積が徐々に小さくなるように第２の空間部４７を形成している。この構成により、第２の空間部４７の内部において、隔壁４５に形成した第３の連通口４５ａから第２の空間部４７の壁面に至るまでの距離を変化させることができるため、第２の空間部４７の内部で複数の周波数の音の音圧を低減することができる。そのため、第２の空間部４７に流入した風切り音や第２の空間部で発生した風切り音等の騒音に含まれる様々な周波数の音を第２の空間部４７で効率よく低減することができ、電気掃除機１００の静音性をさらに向上させることができる。また、第２の空間部４７には第２の吸音材４８が配置されているため、第２の空間部４７に配置された第２の吸音材４８によって、第２の空間部４７に流入した風切り音や第２の空間部４７で発生した風切り音等の騒音に含まれる様々な周波数の音を吸音することができ、排気風中に含まれる騒音を低減することができる。
【００７８】
また、本実施の形態においては、第１の空間部４４は排気風路３８と連通しないように形成されているとともに、第２の空間部４７は第１の空間部４４の内部に形成されているため、第１の空間部４４と第２の空間部４７とによって二重壁構造を形成することができ、第２の空間部４７の内部から第２の空間部４７の外部へと伝わってしまった騒音を第１
の空間部４４で低減することができる。そのため、第１の空間部４４及び第２の空間部４７によって、掃除機本体１の内部で発生された騒音が掃除機本体１の外部へと伝わってしまうことを十分に防止でき、電気掃除機１００の静音性を向上させることができる。
【００７９】
さらに、本実施の形態においては、電動送風機３４で発生された吸引風によって吸引された塵埃を集塵装置２へと導く吸引風路４３を第１の空間部４４の内部に形成しているため、第１の空間部４４と吸引風路４３とによって二重壁構造を形成することができる。そのため、吸引風路４３内で発生した風切り音などの騒音が掃除機本体１の外部へと伝わることを十分に防止でき、電気掃除機１００の静音性をさらに向上させることができる。
【００８０】
なお、本実施の形態においては、第２の空間部４７は、第２の空間部４７の排気風路３８側の断面積が第２の空間部４７の排気風路３８とは反対側の断面積よりも大きく、かつ、排気風路３８側から排気風路３８とは反対側にいくに連れて、第２の空間部４７の断面積が徐々に小さくなるように形成されており、被清掃面に平行な面での断面が略台形状となるように形成されている構成について説明したが、図１２に示すように、第２の空間部４７は、第２の空間部４７の排気風路３８側の断面積が第２の空間部４７の排気風路３８とは反対側の断面積よりも大きく、かつ、排気風路３８側から排気風路３８とは反対側にいくに連れて、第２の空間部４７の断面積が徐々に小さくなるように形成されており、被清掃面に平行な面での断面が階段状となるように形成されていてもよい。
【００８１】
図１２は、本発明の実施の形態２における第２の空間部の変形例を示す掃除機本体の断面図である。
【００８２】
図１２に示すように、ケース体４６は、ケース体４６の内部、すなわち、第２の空間部４７において、隔壁４５に形成された第３の連通口４５ａからケース体４６の排気風路３８とは反対側の面までの距離がＬ１、Ｌ２、及び、Ｌ３（Ｌ１＜Ｌ２＜Ｌ３）となるように形成されている。この構成においても、第２の空間部４７の内部において、隔壁４５に形成した第３の連通口４５ａから第２の空間部４７の壁面に至るまでの距離を変化させることができるため、第２の空間部４７の内部で複数の周波数の音の音圧を低減することができる。そのため、第２の空間部４７に流入した風切り音や第２の空間部で発生した風切り音等の騒音に含まれる様々な周波数の音を第２の空間部４７で効率よく低減することができ、電気掃除機１００の静音性をさらに向上させることができる。
【００８３】
以上、本発明の電気掃除機の実施の形態１及び実施の形態２について説明したが、本発明の電気掃除機は上述した実施の形態１及び実施の形態２の電気掃除機に限定されるものではない。
【００８４】
例えば、上述した実施の形態２の電気掃除機において、第２の空間部４７は、第２の空間部４７の排気風路３８側の断面積が第２の空間部４７の排気風路３８とは反対側の断面積よりも大きく、かつ、排気風路３８側から排気風路３８とは反対側にいくに連れて、第２の空間部４７の断面積が徐々に小さくなるように形成されており、被清掃面に平行な面での断面が略台形状となるように形成されている構成について説明したが、第２の空間部４７は、掃除機本体１の内部で発生された複数の周波数を含む騒音を第２の空間部４７の内部で低減できるように構成されていればよく、例えば、第２の空間部４７は、第２の空間部４７の排気風路３８側の断面積が第２の空間部４７の排気風路３８とは反対側の断面積よりも小さく、かつ、排気風路３８側から排気風路３８とは反対側にいくに連れて、第２の空間部４７の断面積が徐々に小さくなるように形成されていてもよい。
【００８５】
また、上述した実施の形態１及び実施の形態２の電気掃除機においては、第２の空間部４７と排気風路３８とが隔壁４５に形成された第３の連通口４５ａによって直接連通され
ている構成について説明したが、第２の空間部４７と排気風路３８とを連通する第３の連通口４５ａにフィルター部材（図示せず）を配置してもよい。この構成により、電動送風機３４から排出された排気風に含まれる塵埃のうち、電動送風機ケース３７の排出口３７ａに配置された排気フィルター３７ｂで除去されず、電動送風機室３５内へ排出された塵埃が第２の空間部４７の内部に流入することを防止できる。そのため、電動送風機３４から排出された排気風に含まれる塵埃が第２の空間部４７の内部に配置された第２の吸音材４８に付着してしまうことを防止でき、第２の吸音材４８の吸音性能が低下してしまうことを十分に防止することができる。ここで、第３の連通口４５ａに配置するフィルター部材としては、その密度が２０〜４０ｋｇ／ｃｍ３で、かつ、面積１０ｃｍ２あたりの通気抵抗が通気風速０．８ｍ／秒時に１０ｍｍＨ２Ｏ以下の不織布あるいは発泡ウレタンフォーム材を使用することが好ましい。これにより、電動送風機３４から排出された排気風を第２の空間部４７に効率よく導くことができるとともに、フィルター部材による圧損により電動送風機３４の効率が低下してしまうことを十分に防止することができる。
【００８６】
さらに、上述した実施の形態１及び実施の形態２の電気掃除機において、ケース体４６は、ケース体４６の下枠体２９側の面及びケース体４６の隔壁４５側の面が開放されているとともに、ケース体４６の下枠体２９側の端部及びケース体４６の隔壁４５の端部がそれぞれ下枠体２９及び隔壁４５に当接されるように配置されている構成について説明したが、ケース体４６は、第１の空間部４４と第２の空間部４７とを区画するように形成されていればよく、例えば、ケース体４６は、ケース体４６の隔壁４５側の面のみが開放されていてもよい。この構成によっても、第１の空間部４４と第２の空間部４７とを区画して形成することができるとともに、第１の空間部４４と第２の空間部４７とで二重壁構造を形成することができるため、第２の空間部４７を透過した騒音を第１の空間部４４で低減することができる。
【産業上の利用可能性】
【００８７】
本発明の電気掃除機は、電気掃除機の内部で発生された騒音を第１の空間部及び第２の空間部で低減でき、電気掃除機の静音性を向上させることが可能となるので、家庭用電気掃除機及び産業用電気掃除機の分野・用途に好適に適用することができる。
【符号の説明】
【００８８】
１  掃除機本体
１ａ  吸気口
１ｂ  排気口
２  集塵装置
２ａ  遠心分離空間部
２ｂ  塵埃蓄積空間部
２ｃ  塵埃通路部
３  吸込具
４  ホース
５  延長管
６  把手部
７  先端パイプ
８  接続パイプ
９  集塵装置本体
９ａ  流入口
１０  一次フィルター
１１  一次フィルター取り付け枠
１２  二次フィルター
１３  第１の延出部
１３ａ  第１の傾斜部
１３ｂ  垂直部
１３ｃ  第１の円筒部
１３ｄ  第２の傾斜部
１３ｅ  第２の円筒部
１４  第２の延出部
１５  下蓋体
１６  上蓋体
１６ａ  流出口
１６ｂ  第１の係合凹部
１６ｃ  第２の係合爪部
１７  ハンドル
１７ａ  第１の係合爪部
１７ｂ  第２の係合凹部
１８  除塵部
１９  駆動部
２０  ヒンジ部
２１  尾錠部
２２  第１のシール部材
２３  第２のシール部材
２４  スライダー
２５  開閉操作部
２６  バックル部
２７  係合解除操作部
２８  コイルバネ
２９  下枠体
３０  上枠体
３１  本体ハンドル
３１ａ  第３の係合凹部
３２  車輪
３３  キャスター
３４  電動送風機
３５  電動送風機室
３６  電源コード巻取り装置
３７  電動送風機ケース
３７ａ  排出口
３７ｂ  排気フィルター
３７ｃ  第１の連通口
３８  排気風路
３９  第１の吸音材
４０  吸入風路
４０ａ  第２の連通口
４１  第３のシール部材
４２  集塵装置取付部
４２ａ  第１の開口部
４２ｂ  第２の開口部
４２ｃ  第４のシール部材
４３  吸引風路
４４  第１の空間部
４５  隔壁
４５ａ  第３の連通口
４６  ケース体
４７  第２の空間部
４８  第２の吸音材
１００  電気掃除機
【図２】
2014064647.tif 000003
【図３】
2014064647.tif 000004
【図４】
2014064647.tif 000005
【図１３】
2014064647.tif 000006
【図１】
2014064647.tif 000007
【図５】
2014064647.tif 000008
【図６】
2014064647.tif 000009
【図７】
2014064647.tif 000010
【図８】
2014064647.tif 000011
【図９】
2014064647.tif 000012
【図１０】
2014064647.tif 000013
【図１１】
2014064647.tif 000014
【図１２】
2014064647.tif 000015